(57)【特許請求の範囲】
【請求項１】
２つの日車を含むカレンダ機構付き時計において、
日付のうちの一の位を表示することができる第一日車（５１２）と、
前記第一日車（５１２）の回転方向の位置を規正するための第一日ジャンパ（５１４）と、
日付のうちの十の位を表示することができ、かつ、単独で１桁の日付を表示することができる第二日車（５２２）と、
前記第二日車（５２２）の回転方向の位置を規正するための第二日ジャンパ（５２４）とを備え、
前記第一日車（５１２）は、第一日文字表示面（５１２ｆ）を有し、
前記第一日文字表示面（５１２ｆ）には、日付のうちの一の位を表示するための「０」、「１」、「２」、「３」、「４」、「５」、「６」、「７」、「８」、「９」の数字が設けられており、
前記第二日車（５２２）は、第二日文字表示面（５２２ｆ）を有し、
前記第二日文字表示面（５２２ｆ）には、単独で１桁の日付を表示するための数字が設けられ、かつ、日付のうちの十の位だけを表示するための数字が設けられており、
前記第二日車（５２２）には、前記第一日文字表示面（５１２ｆ）に設けられた数字により、日付のうちの一の位を表示するための窓部が形成されており、
前記第二日文字表示面（５２２ｆ）は、前記第一日文字表示面（５１２ｆ）よりも文字板（４０４）に近い位置に配置されていて、
前記第一日文字表示面（５１２ｆ）には、日付のうちの一の位を表示するための「０」、「１」、「２」、「３」、「４」、「５」、「６」、「７」、「８」、「９」、「０」、「１」、「２」、「３」、「４」、「５」、「６」、「７」、「８」、「９」、「０」、「１」の数字が設けられ、
前記第二日文字表示面（５２２ｆ）には、単独で１桁の日付表示するための「１」から「９」の数字と、日付のうちの十の位を表示するための「１」、「２」、「３」の数字が等しい角度間隔で設けられ、
前記十の位を表示するための「１」の数字と前記十の位を表示するための「２」の数字との間には窓部が形成され、
前記十の位を表示するための「２」の数字と前記十の位を表示するための「３」の数字との間には窓部が形成され、
前記十の位を表示するための「１」の数字と前記単独で１桁の日付表示するための「９」の数字との間には窓部が形成されており、
前記十の位を表示するための「１」の数字と、前記十の位を表示するための「２」の数字と、前記十の位を表示するための「３」の数字は、等しい角度間隔で形成され、
前記３つの窓部は、等しい角度間隔で形成されていて、
前記第一日文字表示面（５１２ｆ）には、「０」、「１」、「２」、「３」、「４」、「５」、「６」、「７」、「８」、「９」、「０」、「１」、「２」、「３」、「４」、「５」、「６」、「７」、「８」、「９」、「０」、「１」の数字が（３６０／３１）度の角度間隔で設けられており、
前記第二日文字表示面（５２２ｆ）には、「１」、「２」、「３」、「４」、「５」、「６」、「７」、「８」、「９」の数字が（３６０／１２）度の角度間隔で設けられ、かつ、「１」の数字と第１の窓部からなる第１の数字と窓部の組、「２」の数字と第２の数字と窓部の組、および、「３」の数字と第３の窓部からなる第３の数字と窓部の組が（３６０／１２）度の角度間隔で設けられており、
１日から９日の表示は、前記第二日文字表示面（５２２ｆ）に設けられている前記数字のみで表示するように構成され、
１０日から３１日の表示は、前記第二日車（５２２）の窓部を通して前記第一日文字表示面（５１２ｆ）に設けられている前記数字により１の位を表示し、かつ、前記第二日文字表示面（５２２ｆ）に設けられている前記数字により１０の位を表示するように構成される、
ことを特徴とするカレンダ機構付き時計。
【請求項２】
請求項１に記載のカレンダ機構付き時計において、
前記第一日車（５１２）は、内歯として形成された３１個の第一日車歯部（５１６）と、内歯として形成された１２個のカレンダ送り歯（５１８ａ〜５１８ｋ、５１８ｍ）とを含み、前記第一日車歯部（５１６）は、（３６０／３１）度の角度間隔で形成されており、
前記カレンダ送り歯（５１８ａ〜５１８ｋ、５１８ｍ）は、
（３６０／３１）度の角度間隔で形成された１０個のカレンダ送り歯、即ち、第１カレンダ送り歯（５１８ｂ）から第１０カレンダ送り歯（５１８ｋ）と、
前記第１０カレンダ送り歯（５１８ｋ）を基準として、前記第１カレンダ送り歯（５１８ｂ）が配置された方向と反対の第１の方向に（３６０＊１０／３１）度の角度間隔で形成された第１１カレンダ送り歯（５１８ｍ）と、
第１１カレンダ送り歯（５１８ｍ）を基準として、前記第１の方向に（３６０＊１０／３１）度の角度間隔で形成された第１２カレンダ送り歯（５１８ａ）とを含む、
ことを特徴とするカレンダ機構付き時計。
【発明の詳細な説明】
【技術分野】
【０００１】
本発明は、第一日車と第二日車により１日から３１日の日付を表示するように構成したカレンダ機構付き時計に関する。特に、本発明は、従来のカレンダ機構付き時計の日文字より大きい日文字により日付を表示することができるカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
以下に、日付のうちの一の位を表示する第一日車と、日付のうちの十の位を表示する第二日車を含む従来のカレンダ機構付き時計の構成について説明する。
【０００４】
（１）従来の第一タイプのカレンダ機構
従来の第一タイプのカレンダ機構においては、日付のうちの一の位を表示する第一日車と、第一日車の回転方向の位置を規正するための第一日ジャンパと、日付のうちの十の位を表示する第二日車と、第二日車の回転方向の位置を規正するための第二日ジャンパと、第一日車の回転に基づいて回転して第二日車を回転させることができる日中間車とを備えている。第一日車は、内歯として形成された３１個の第一日車歯部と、内歯として形成された４個のカレンダ送り歯）とを含む。カレンダ送り歯は、基準となる第１カレンダ送り歯と、第２カレンダ送り歯と、第３カレンダ送り歯と、第４カレンダ送り歯とからなり、それぞれのカレンダ送り歯は、第一日車を第一方向に送るための正転送り部と、第一日車を、前記第一方向と反対の第二方向に送るための逆転送り部とを備えている（下記特許文献１参照）。
【０００５】
（２）従来の第二タイプのカレンダ機構
従来の第二タイプのカレンダ機構においては、「０」から「３」までの、または「１」から「３」までに空白を加えた目盛りを記した４位置を有し、１０日毎に進んで１０の位を表示する部材と、２４時間毎に進んで１の位を表示する部材とを含む。１の位を表示する部材は、３１位置を取ることができ、「０」から「９」まで連続して並ぶ目盛りが、３つ連続して取付けられている。その目盛りの１つは、「０」と「１」の間に追加の「１」が挿入されている（下記特許文献２参照）。
【０００６】
（３）従来の第三タイプのカレンダ機構
従来の第三タイプのカレンダ機構においては、大型窓を有する文字盤と、１つの「１」の数字と、３組の「１」から「９」および「０」の数字を含む３１個の数字を配置し、かつ４本の歯を設けた１の位用回転体（すなわち、第一日車）を備え、さらに、４本の歯を有する１０の位用星形板と、「０」、「１」、「２」、「３」の数字を配置した１０の位用回転体（すなわち、第二日車）を備えている。１の位用回転体（すなわち、第一日車）が、直接、１０の位用回転体（すなわち、第二日車）を回転させている（下記特許文献３参照）。
【０００７】
（４）従来の第四タイプのカレンダ機構
従来の第四タイプのカレンダ機構においては、「０」から「９」の連続数字を周縁環上に配置した日付の一の位を表示する回転ディスクと、「０」、「１」、「２」、「３」、「３」の順番に並ぶ数字を周縁環上に配置した日付の十の位を表示する回転ディスクとを備えている。日付の十の位を表示する回転ディスクは、９日の夜、１９日の夜、２９日の夜、３０日の夜、及び３１日の夜に、その時点の位置から次の位置に移動する。日付の一の位を表示する回転ディスクは、３１日の夜以外の毎日の夜に、ある位置から次の位置に移動する（下記特許文献４参照）。
【０００８】
（５）従来の第五タイプのカレンダ機構
従来の第五タイプのカレンダ機構においては、日付の一の位を表示する第一表示装置と、日付の十の位を表示する第二表示装置とを備えている。第一表示装置と第二表示装置はプログラム歯車セットにより駆動され、日にち歯車はワンステップ前進する。プログラム歯車セットの日にち歯車は、日にちが変わる間、レバーのピークにより駆動される。日にちが変わる間の期間は、前記ピークは、日にち歯車の第１歯と第２歯との間に係合する。日にちが変わる時は、前記ピークは、日にち歯車の第１歯と第２歯の係合から外れ、日にち歯車の第２歯と第３歯の間に入り、日にち歯車はワンステップ前進する（下記特許文献５参照）。
【０００９】
（６）従来の第六タイプのカレンダ機構
従来の第六タイプのカレンダ機構においては、第一の動体が日付の一の位、ならびに完全な１から９までの日付を表示し、第二の動体が日付の十の位、ならびに完全なままの３０日および／または３１日を表示するように構成されている。一の位のリングの動体は、駆動用突起部を備える。この駆動用突起部により、十の位のリングの動体を作動させることができる（下記特許文献６参照）。
【００１０】
（７）従来の第七タイプのカレンダ機構
従来の第七タイプのカレンダ機構においては、十位日付表示孔にのみ十位の数字を表示させる通常十位目盛と、十位日付表示孔に十位の数字を表示させるとともに、一位日付表示孔に一位の数字を表示させる双表示目盛とを備えている。一位日板は、５つの十位駆動歯を備える。十位日車は、十位駆動歯により回転駆動される（下記特許文献７参照）。
【先行技術文献】
【特許文献】
【００１１】
【特許文献１】特開２００５−２１４８３６号公報
【特許文献２】特許第４３０７６１３号公報
【特許文献３】特許第３３９００２１号公報
【特許文献４】特許第４３２４５５０号公報
【特許文献５】特表２００９−５３１６５０号公報
【特許文献６】特表２００６−５２２３２３号公報
【特許文献７】特開２００９−２５０９１２号公報
【発明の概要】
【発明が解決しようとする課題】
【００１２】
従来の第一日車と第二日車とを含むカレンダ機構付き時計において、カレンダ機構の構造が複雑で厚くなるという課題があった。また、従来の第一日車と第二日車とを含むカレンダ機構付き時計では、第一日車の日文字と第二日車の日文字のサイズを大きくするのが難しいという課題があった。また、従来の第一日車と第二日車とを含むカレンダ機構付き時計では、カレンダ機構付き時計を製造するためにベースとなるムーブメントを変更する規模が大きくなる課題があった。
【００１３】
本発明の目的は、第一日車と第二日車とを含むカレンダ機構付き時計において、第一日車が日付のうちの一の位を表示することができ、第二日車が日付のうちの十の位を表示することができ、かつ、単独で１桁の日付を表示することができるように構成することにより、簡単な構成のムーブメントを備え、日付の表示が見やすいカレンダ機構付き時計を提供することにある。
【課題を解決するための手段】
【００１４】
本発明は、２つの日車を含むカレンダ機構付き時計において、日付のうちの一の位を表示することができる第一日車と、前記第一日車の回転方向の位置を規正するための第一日ジャンパと、日付のうちの十の位を表示することができ、かつ、単独で１桁の日付を表示することができる第二日車と、前記第二日車の回転方向の位置を規正するための第二日ジャンパとを備えるように構成した。前記第一日車は、第一日文字表示面を有する。前記第一日文字表示面には、日付のうちの一の位を表示するための「０」、「１」、「２」、「３」、「４」、「５」、「６」、「７」、「８」、「９」の数字が設けられている。前記第二日車は、第二日文字表示面を有する。前記第二日文字表示面には、単独で１桁の日付を表示するための数字が設けられ、かつ、日付のうちの十の位だけを表示するための数字が設けられている。さらに、前記第二日車には、前記第一日文字表示面に設けられた数字により、日付のうちの一の位を表示するための窓部が形成されている。前記第二日文字表示面は、前記第一日文字表示面よりも文字板に近い位置に配置されている。
【００１５】
本発明のカレンダ機構付き時計において、前記第一日文字表示面には、日付のうちの一の位を表示するための「０」、「１」、「２」、「３」、「４」、「５」、「６」、「７」、「８」、「９」、「０」、「１」、「２」、「３」、「４」、「５」、「６」、「７」、「８」、「９」、「０」、「１」の数字が設けられ、前記第二日文字表示面には、単独で１桁の日付表示するための「１」から「９」の数字と、日付のうちの十の位を表示するための「１」、「２」、「３」の数字が等しい角度間隔で設けられ、前記十の位を表示するための「１」の数字と前記十の位を表示するための「２」の数字との間には窓部が形成され、前記十の位を表示するための「２」の数字と前記十の位を表示するための「３」の数字との間には窓部が形成され、前記十の位を表示するための「１」の数字と前記単独で１桁の日付表示するための「９」の数字との間には窓部が形成され、前記十の位を表示するための「１」の数字と、前記十の位を表示するための「２」の数字と、前記十の位を表示するための「３」の数字は、等しい角度間隔で形成され、前記３つの窓部は、等しい角度間隔で形成されるのがよい。
【００１６】
本発明のカレンダ機構付き時計において、前記第一日文字表示面には、「０」、「１」、「２」、「３」、「４」、「５」、「６」、「７」、「８」、「９」、「０」、「１」、「２」、「３」、「４」、「５」、「６」、「７」、「８」、「９」、「０」、「１」の数字が（３６０／３１）度の角度間隔で設けられ、前記第二日文字表示面には、「１」、「２」、「３」、「４」、「５」、「６」、「７」、「８」、「９」の数字が（３６０／１２）度の角度間隔で設けられ、かつ、「１」の数字と第１の窓部からなる第１の数字と窓部の組、「２」の数字と第２の数字と窓部の組、および、「３」の数字と第３の窓部からなる第３の数字と窓部の組が（３６０／１２）度の角度間隔で設けられ、１日から９日の表示は、前記第二日文字表示面に設けられている前記数字のみで表示するように構成され、１０日から３１日の表示は、前記第二日車の窓部を通して前記第一日文字表示面に設けられている前記数字により１の位を表示し、かつ、前記第二日文字表示面に設けられている前記数字により１０の位を表示するように構成されるのがよい。
【００１７】
この構成により、簡単な構成であって日付の表示が大きくて見やすいカレンダ機構付き時計を実現することができる。本発明のカレンダ機構付き時計において、第二日車が、単独で１桁の日付、すなわち、１日から９日の日付を表示することができるので、１日から１０日の日付表示を従来よりも大きくすることができるという特徴がある。
【００１８】
本発明のカレンダ機構付き時計では、前記第一日車は、内歯として形成された３１個の第一日車歯部と、内歯として形成された１２個のカレンダ送り歯とを含み、前記第一日車歯部は、（３６０／３１）度の角度間隔で形成され、前記カレンダ送り歯は、（３６０／３１）度の角度間隔で形成された１０個のカレンダ送り歯、即ち、第１カレンダ送り歯から第１０カレンダ送り歯と、前記第１０カレンダ送り歯を基準として、前記第１カレンダ送り歯が配置された方向と反対の第１の方向に（３６０＊１０／３１）度の角度間隔で形成された第１１カレンダ送り歯と、第１１カレンダ送り歯を基準として、前記第１の方向に（３６０＊１０／３１）度の角度間隔で形成された第１２カレンダ送り歯とを含むように構成されるのがよい。
【００１９】
この構成により、カレンダ機構付き時計を製造するためにベースとなるムーブメントを変更する規模を小さくすることが可能となり、また、ムーブメントの構成部品の製造と組み立てを容易にすることが可能となる。
【００２０】
本発明のカレンダ機構付き時計では、前記第一日車の回転中心と、前記第二日車の回転中心とは同じ位置に配置され、前記第一日車の回転に基づいて回転して、前記第二日車を回転させることができる日中間車を備えるように構成されるのがよい。この構成により、小型であって、かつ、日付の表示が大きいカレンダ機構付き時計を実現することができる。また、この構成により、カレンダ機構付き時計を製造するためにベースとなるムーブメントを変更する規模を少なくすることができる。
【００２１】
本発明のカレンダ機構付き時計では、前記第二日文字表示面には、さらに、単独で２桁の日付を表示するための数字が設けられるように構成することができる。この構成により、多くの日付の表示を大きくすることができる。
【発明の効果】
【００２２】
本発明により、日付の表示が大きくて見やすいカレンダ指示を実現することができる。本発明のカレンダ機構付き時計においては、特に、１桁の日付、すなわち、１日から９日の日付の表示が大きくて見やすいという特徴がある。
また、本発明により、カレンダ機構付き時計を製造するためにベースとなるムーブメントを変更する規模を小さくすることが可能となり、多くのムーブメントの構成部品を兼用で使用することができる。
さらに、本発明のカレンダ機構付き時計は、ムーブメントの構成部品の構造が簡単であり、部品の製造と組み立てが容易である。
【図面の簡単な説明】
【００２３】
【図１】本発明のカレンダ機構付き時計の実施形態において、ムーブメントを文字板側から見たときの構造を示す概略平面図である。
【図２】本発明のカレンダ機構付き時計の実施形態において、ムーブメントを裏蓋側から見たときの構造を示す概略平面図である。
【図３】本発明のカレンダ機構付き時計の実施形態において、表輪列と、カレンダ機構の一部分を示す部分断面図である。
【図４】本発明のカレンダ機構付き時計の実施形態において、ムーブメントを文字板側から見たときのカレンダ機構の一部分を示す拡大部分平面図である。
【図５】本発明のカレンダ機構付き時計の実施形態において、文字板の１２時方向に日窓を配置した構成における第一日車を示す平面図である。
【図６】本発明のカレンダ機構付き時計の実施形態において、文字板の１２時方向に日窓を配置した構成における第二日車を示す平面図である。
【図７】本発明のカレンダ機構付き時計の実施形態において、文字板の１２時方向に日窓を配置した構成におけるコンプリートが「２０日」を表示している状態を示す平面図である。
【図８】本発明のカレンダ機構付き時計の実施形態において、文字板の１２時方向に日窓を配置した構成におけるコンプリートが「１日」を表示している状態を示す平面図である。
【図９】本発明のカレンダ機構付き時計の実施形態において、文字板の６時方向に日窓を配置した構成における第一日車を示す平面図である。
【図１０】本発明のカレンダ機構付き時計の実施形態において、文字板の６時方向に日窓を配置した構成における第二日車を示す平面図である。
【図１１】本発明のカレンダ機構付き時計の実施形態において、文字板の６時方向に日窓を配置した構成におけるコンプリートが「２０日」を表示している状態を示す平面図である。
【図１２】本発明のカレンダ機構付き時計の実施形態において、文字板の６時方向に日窓を配置した構成におけるコンプリートが「１日」を表示している状態を示す平面図である。
【図１３】本発明のカレンダ機構付き時計の実施形態において、文字板の３時方向に日窓を配置した構成における第一日車を示す平面図である。
【図１４】本発明のカレンダ機構付き時計の実施形態において、文字板の３時方向に日窓を配置した構成における第二日車を示す平面図である。
【図１５】本発明のカレンダ機構付き時計の実施形態において、文字板の３時方向に日窓を配置した構成におけるコンプリートが「１５日」を表示している状態を示す平面図である。
【図１６】本発明のカレンダ機構付き時計の実施形態において、文字板の３時方向に日窓を配置した構成におけるコンプリートが「１日」を表示している状態を示す平面図である。
【図１７】本発明のカレンダ機構付き時計の実施形態において、第一日車を回転させる前の状態における、文字板側から見たムーブメントの裏側の構造を示す部分平面図である。
【図１８】本発明のカレンダ機構付き時計の実施形態において、第一日車が正方向に回転を開始している状態における、文字板側から見たムーブメントの裏側の構造を示す部分平面図である。
【図１９】本発明のカレンダ機構付き時計の実施形態において、第一日車が正方向に回転しつつある状態における、文字板側から見たムーブメントの裏側の構造を示す部分平面図である。
【図２０】本発明のカレンダ機構付き時計の実施形態において、第一日車が正方向に１ピッチ回転した状態における、文字板側から見たムーブメントの裏側の構造を示す部分平面図である。
【図２１】本発明のカレンダ機構付き時計の実施形態において、駆動回路、表輪列、カレンダ機構などを示すブロック図である。
【図２２】本発明のカレンダ機構付き時計の実施形態において、巻真、小鉄車、二番車の部分を示す部分断面図である。
【発明を実施するための形態】
【００２４】
以下に、本発明のカレンダ機構付き時計の実施形態を図面に基づいて説明する。
（１）本発明のカレンダ機構付き時計の構造
（１・１）ムーブメントの全体構成
図１〜図３、図２２を参照すると、本発明のカレンダ機構付き時計の実施形態において、ムーブメント４００はアナログ電子時計で構成される。ムーブメント４００は、ムーブメント４００の基板を構成する地板４０２と、日車押え５０２とを含む。文字板４０４がムーブメント４００に取付けられる。文字板４０４はムーブメント４００のガラス側に取付けられる。ムーブメント４００において、「表側」とは、地板４０２の両面のうちで、文字板４０４から遠い方の側、すなわち、「裏蓋側」を示す。ムーブメント４００において、「裏側」とは、地板４０２の両面のうちで、文字板４０４に近い方の側、すなわち、「文字板側」を示す。日車押え５０２は、ムーブメント４００において、「裏側」に配置される。巻真４１０が、地板４０２に回転可能に組み込まれる。つづみ４７２が巻真４１０の回転軸線と同一の回転軸線を有するように配置される。切換装置・規正装置は、巻真４１０と、規正レバー４６８と、電池プラス端子６６２の巻真位置決め部６６２ｆとを含む。切換装置は、ムーブメント４００において、「表側」に配置される。切換装置は、ムーブメント４００において、「裏側」に配置することもできる。
【００２５】
（１・２）ムーブメントの表側の構成
以下に、ムーブメントの表側の構成について説明する。図２、図３、図２１を参照すると、ムーブメント４００において、時計の動力源を構成する電池４４０が、地板４０２の裏蓋側（表側）に配置される。時計の源振を構成する水晶ユニット６５０が地板４０２の裏蓋側に配置される。例えば、３２，７６８ヘルツで発振する水晶振動子が、水晶ユニット６５０に収容されている。水晶振動子の振動に基づいて基準信号を出力する発振部（オシレータ）６０２と、発振部６０２の出力信号を分周して、ステップモータの動作の制御を行う分周制御部６０４と、分周制御部６０４の出力信号に基づいてステップモータを駆動するモータ駆動信号を出力するモータ駆動部（ドライバ）６０６とが、集積回路（ＩＣ）６５４に内蔵されている。集積回路６５４は、例えば、Ｃ−ＭＯＳ又はＰＬＡで構成される。集積回路６５４をＣ−ＭＯＳで構成した場合には、発振部６０２と、分周制御部６０４と、モータ駆動部６０６とは、集積回路６５４に内蔵される。集積回路（ＩＣ）６５４をＰＬＡで構成した場合には、発振部６０２と、分周制御部６０４と、モータ駆動部６０６とは、ＰＬＡに記憶されているプログラムにより動作するように構成される。
【００２６】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板４０２の裏蓋側に配置される。さらに、本発明のカレンダ付き時計では、必要に応じて、抵抗、コンデンサ、コイル、ダイオードなどの外付け素子を用いることができる。電池マイナス端子６６０は、電池４４０の陰極と、回路基板６１０のマイナスパターンを導通させるために設けられる。電池プラス端子６６２は、電池４４０の陽極と、回路基板６１０のプラスパターンを導通させるために設けられる。磁心に巻いたコイルワイヤを含むコイルブロック６３０と、コイルブロック６３０の磁心の両端部分と接触するように配置されたステータ６３２と、ステータ６３２のロータ穴６３２ｃに配置されたロータ磁石６３４ｂを含むロータ６３４とが、地板４０２の裏蓋側に配置される。
【００２７】
コイルブロック６３０と、ステータ６３２と、ロータ６３４とは、ステップモータを構成する。ロータ６３４の回転により、五番車４４１が回転するように構成される。五番車４４１の回転により、四番車４４２が回転するように構成される。四番車４４２の回転により、三番車４４４が回転するように構成される。三番車４４４の回転により、二番車４４６が回転するように構成される。二番車４４６の回転により、日の裏車４４８が回転するように構成される。日の裏車４４８の回転により、筒車４８０が回転するように構成される。
【００２８】
四番車４４２は１分間に１回転するように構成されている。秒針４６０が四番車４４２に取付けられる。二番車４４６は１時間に１回転するように構成される。分針４６２が二番車４４６に取付けられる。スリップ機構が二番車４４６に設けられる。スリップ機構により、針合わせをするときに、秒針４６０を停止させた状態で、巻真４１０を回転させることにより、分針４６２及び時針４６４を回転させることができる。巻真４１０を２段目に引き出して針合わせをするときに、五番車４４１の歯車部を規正して秒針４６０の回転を停止させるために、規正レバー４６８が設けられる。
【００２９】
中心パイプ４０２ｃが地板４０２に固定される。中心パイプ４０２ｃは地板４０２の裏蓋側から地板４０２の文字板側に延びる。二番車４４６は、中心パイプ４０２ｃの穴部の中に回転可能に支持される。四番車４４２のそろばん玉は、二番車４４６の穴部の中に回転可能に支持される。輪列受４５８が、地板４０２の裏蓋側に配置される。ロータ６３４の上軸部、五番車４４１の上軸部、四番車４４２の上軸部、三番車４４４の上軸部、日の裏車４４８の上軸部は、輪列受４５８に回転可能に支持される。ロータ６３４の下軸部、五番車４４１の下軸部、三番車４４４の下軸部、日の裏車４４８の下軸部は、地板４０２に回転可能に支持される。
【００３０】
（１・３）時表示輪列の構成
以下に、時表示輪列の構成について説明する。図１、図３、図２１を参照すると、ムーブメント４００において、筒車４８０は筒歯車４８０ａと、日送り歯車４８０ｂとを含む。筒車４８０は１２時間に１回転するように構成される。時針４６４が筒車４８０に取付けられる。筒車４８０に取り付けた時針４６４により、１周が１２時間となる「１２時制」で「時」を表示する。
【００３１】
（１・４）切換機構、針合わせ機構の構成
以下に、切換機構、針合わせ機構の構成について説明する。図２および図２２を参照すると、ムーブメント４００において、巻真４１０が、地板４０２に回転可能に組み込まれる。巻真４１０は、先端側から順に形成された先端軸部４１０ａと、第１角部４１０ｂと、第１軸部４１０ｃと、規正作動軸部４１０ｄと、第２軸部４１０ｅと、第２角部４１０ｆと、第３軸部４１０ｇと、第１そろばん玉部４１０ｈと、第２そろばん玉部４１０ｊと、元軸部４１０ｋとを含む。巻真４１０の先端軸部４１０ａは、地板４０２の巻真先端穴に対して回転可能なように組み込まれる。巻真４１０の元軸部４１０ｋは、地板４０２の巻真元穴に対して回転可能なように組み込まれる。第１そろばん玉部４１０ｈの外径は、第２そろばん玉部４１０ｊの外径より大きいように構成するのがよい。
【００３２】
つづみ４７２が巻真４１０の回転軸線と同一の回転軸線を有するように配置される。巻真４１０が０段目および１段目にあるとき、つづみ車４７２の連動角穴が巻真４１０の第１軸部４１０ｃに対して回転可能であり、巻真４１０を回転させてもつづみ車４７２が回転しないように構成される。巻真４１０が２段目にあるとき、つづみ車４７２の連動角穴が巻真４１０の第１角部４１０ｂと嵌め合い、巻真４１０の回転に基づいてつづみ車４７２が回転するように構成される。巻真４１０が０段目にあるとき、電池プラス端子６６２の巻真位置決め部６６２ｆは、元軸部４１０ｋと、第２そろばん玉部４１０ｊとの間に位置するように構成される。
【００３３】
巻真４１０が１段目にあるとき、電池プラス端子６６２の巻真位置決め部６６２ｆは、第１そろばん玉部４１０ｈと、第２そろばん玉部４１０ｊとの間に位置するように構成される。巻真４１０が２段目にあるとき、電池プラス端子６６２の巻真位置決め部６６２ｆは、第１そろばん玉部４１０ｈと、第３軸部４１０ｇとの間に位置するように構成される。したがって、上記構成の切換装置では、電池プラス端子６６２の巻真位置決め部６６２ｆにより、巻真４１０を３つの軸線方向の位置（０段目、１段目、２段目）に位置決めすることができる。
【００３４】
巻真４１０が０段目にあるとき、および、巻真４１０が１段目にあるとき、規正レバー４６８は、巻真４１０の規正作動軸部４１０ｄが規正レバー４６８と接触しないで、五番車４４１の歯車部を規正しないように構成される。巻真４１０が２段目にあるとき、巻真４１０の規正作動軸部４１０ｄが規正レバー４６８と接触して、五番車４４１の歯車部を規正するように構成される。
【００３５】
第一カレンダ修正車５９０が巻真４１０の回転軸線と同一の回転軸線を有するように配置される。巻真４１０が０段目にあるとき、第一カレンダ修正車５９０の連動丸穴が巻真４１０の第３軸部４１０ｇに対して回転可能であり、巻真４１０を回転させても第一カレンダ修正車５９０が回転しないように構成される。巻真４１０が１段目にあるとき、第一カレンダ修正車５９０の連動丸穴が巻真４１０の第２角部４１０ｆと嵌め合い、巻真４１０の回転に基づいて第一カレンダ修正車５９０が回転するように構成される。巻真４１０が２段目にあるとき、第一カレンダ修正車５９０の連動丸穴が巻真４１０の第２軸部４１０ｅに対して回転可能であり、巻真４１０を回転させても第一カレンダ修正車５９０が回転しないように構成される。
【００３６】
日の裏車４４８の日の裏歯車４４８ａは、小鉄車４４９と噛み合うように配置される。小鉄車４４９は、地板４０２と輪列受４５８との間に配置される。日の裏車４４８の日の裏かな（図示せず）は、地板４０２の文字板側に位置し、筒車４８０の筒歯車４８０ａと噛み合うように構成される。筒車４８０の穴部は、中心パイプ４０２ｃの軸部分の外周部に回転可能に支持される。
【００３７】
（１・５）第一日車送り機構の構成
以下に、第一日車送り機構の構成について説明する。図１〜図４および図２１を参照すると、ムーブメント４００において、日送り機構は、日回し車５１０と、第一日ジャンパ５１４とを含む。日回し車５１０は、日回し歯車５１０ｃと、日回し爪５１０ｄとを含む。筒車４８０の日送り歯車４８０ｂは、日回し歯車５１０ｃと噛み合う。筒車４８０が回転することにより、日回し車５１０が２４時間で１回転するように構成される。第一日車５１２が地板４０２に回転可能に組み込まれる。第一日ジャンパ５１４は地板４０２に組み込まれる。第一日ジャンパ５１４は、ばね部５１４ｂと、ばね部の先端に設けられた規正部５１４ｃ、５１４ｄとを含む。第一日ジャンパ５１４の規正部５１４ｃ、５１４ｄは第一日車５１２の歯部を規正する。日回し車５１０が回転することにより、第一日車５１２が、１日に１度、１ピッチ（１歯）分だけ回転するように構成される。
【００３８】
（１・６）カレンダ機構の構成
（１・６・１）第一日車、第二日車の構成
以下に、本発明のカレンダ機構付き時計のカレンダ機構の構成について説明する。
（あ）カレンダ機構の配置
図４は、本発明のカレンダ機構付き時計において、第一日車５１２を正方向（反時計回り方向）に回転させようとしている状態における、文字板側から見たムーブメント４００の裏側の構造を示す部分平面図である。図３、図４および図２１を参照すると、ムーブメント４００は、筒車４８０の回転により回転する日回し車５１０と、日付のうちの一の位を表示する第一日車５１２と、第一日車５１２の回転方向の位置を規正するための第一日ジャンパ５１４と、日付のうちの十の位を表示する第二日車５２２と、第二日車５２２の回転方向の位置を規正するための第二日ジャンパ５２４と、第一日車５１２の回転に基づいて回転して第二日車５２２を回転させることができる日中間車５３０とを備える。
【００３９】
第一日車５１２は地板４０２に対して回転可能に設けられる。第二日車５２２は筒車４８０に対して回転可能に設けられる。第一日車５１２の回転中心と、第二日車５２２の回転中心は同一の位置にある。すなわち、第一日車５１２の回転中心と、第二日車５２２の回転中心は、時針４６４の回転中心（すなわち、筒車４８０の回転中心）と同じ位置に配置される。日中間車５３０は、日車押え５０２に固定された日中間車ピン５３４に対して回転可能に設けられる。第一日ジャンパ５１４の規正部５１４ｃ、５１４ｄが第一日車５１２の歯部を規正する。
【００４０】
（い）１２時位置に日窓を配置したとき
図５を参照すると、文字板４０４の１２時位置に日窓４０４ｆが形成される構成の場合、第一日車５１２はリング形状の第一日文字表示面５１２ｆを備える。第一日車５１２は、内歯として形成された３１個の第一日車歯部５１６と、内歯として形成された１２個のカレンダ送り歯５１８とを含む。第一日車歯部５１６の歯先円の直径は、カレンダ送り歯５１８の歯先円の直径より小さい。第一日車歯部５１６は、等しい角度の間隔、すなわち（３６０／３１）度の間隔で形成される。
【００４１】
カレンダ送り歯５１８は、（３６０／３１）度の角度間隔で形成された１０個のカレンダ送り歯、即ち、第１カレンダ送り歯５１８ｂから第１０カレンダ送り歯５１８ｋと、第１０カレンダ送り歯５１８ｋを基準として、第１カレンダ送り歯５１８ｂが配置された方向と反対の第１の方向（すなわち、時計回り方向）に（３６０＊１０／３１）度の角度間隔で形成された第１１カレンダ送り歯５１８ｍと、第１１カレンダ送り歯５１８ｍを基準として、前記第１の方向（すなわち、時計回り方向）に（３６０＊１０／３１）度の角度間隔で形成された第１２カレンダ送り歯（５１８ａ）とを含む。
【００４２】
２２個の数字からなる第一日文字５１２ｈが第一日文字表示面５１２ｆに設けられる。すなわち、第一日文字５１２ｈは、「０」、「１」、「２」、「３」、「４」、「５」、「６」、「７」、「８」、「９」、「０」、「１」、「２」、「３」、「４」、「５」、「６」、「７」、「８」、「９」、「０」、「１」の２２個の数字を含む。第一日文字５１２ｈを構成する２２個の数字は、等しい角度の間隔、すなわち（３６０／３１）度の間隔で第一日文字表示面５１２ｆに配置される。最初の「１」の数字と、最後の「０」の数字の間には何も記載されていない部分が存在する。前記何も記載されていない部分は、（３６０＊９／３１）度の間隔で第一日文字表示面５１２ｆに配置される。図５に示す状態では、数字の「０」と「１」が文字板４０４に設けられた日窓４０４ｆの下に配置される。切り欠き部５１２ｋが、第一日文字表示面５１２ｆの外周部において、前記何も記載されていない部分と、数字の「１」との間の位置に対応するように形成される。前記何も記載されていない部分には、製造年月、製造国、仕向け先などの管理記号などを記載することができる。
【００４３】
図６を参照すると、第二日車５２２は、３個の窓部を設けた円盤形状の第二日文字表示面５２２ｆを備える。第二日車５２２は、さらに、外歯として形成された１２個の位置決め歯部５２６と、外歯として形成された１２個の送り歯５２８とを含む。位置決め歯部５２６は、等しい角度の間隔、例えば（３６０／１２）度の間隔で形成される。送り歯５２８は、等しい角度の間隔、例えば（３６０／１２）度の間隔で形成される。
【００４４】
第二日車５２２は、第二日文字表示面５２２ｆを有する。第二日文字表示面５２２ｆには、単独で１桁の日付を表示するための「１」、「２」、「３」、「４」、「５」、「６」、「７」、「８」、「９」の数字と、日付のうちの十の位を表示するための「１」、「２」、「３」の数字が等しい角度間隔で設けられる。十の位を表示するための「１」の数字と十の位を表示するための「２」の数字との間には窓部５２２ｋ２が形成される。十の位を表示するための「２」の数字と前記十の位を表示するための「３」の数字との間には窓部５２２ｋ３が形成される。十の位を表示するための「１」の数字と単独で１桁の日付表示するための「９」の数字との間には窓部５２２ｋ１が形成される。十の位を表示するための「１」の数字と、十の位を表示するための「２」の数字と、十の位を表示するための「３」の数字は、等しい角度間隔で形成される。窓部５２２ｋ１と、窓部５２２ｋ２は、例えば（３６０／１２）度の間隔で形成される。窓部５２２ｋ２と、窓部５２２ｋ３は、例えば（３６０／１２）度の間隔で形成される。
【００４５】
十の位を表示するための「１」の数字と、十の位を表示するための「２」の数字と、十の位を表示するための「３」の数字は、等しい角度間隔、例えば（３６０／１２）度の間隔で形成される。窓部５２２ｋ１の中心と、窓部５２２ｋ２の中心とは、例えば（３６０／１２）度の間隔で形成される。窓部５２２ｋ２の中心と、窓部５２２ｋ３の中心とは、例えば（３６０／１２）度の間隔で形成される。単独で１桁の日付表示するための「１」の数字の中心と、窓部５２２ｋ３の中心とは、例えば３７．５度の間隔で形成される。単独で１桁の日付表示するための「９」の数字の中心と、窓部５２２ｋ１の中心とは、例えば２２．５度の間隔で形成される。十の位を表示するための「１」の数字の中心と、単独で１桁の日付表示するための「９」の数字の中心とは、例えば３７．５度の間隔で形成される。十の位を表示するための「１」の数字の中心と、十の位を表示するための「２」の数字の中心とは、例えば（３６０／１２）度の間隔で形成される。十の位を表示するための「２」の数字の中心と、十の位を表示するための「３」の数字の中心とは、例えば（３６０／１２）度の間隔で形成される。窓部を形成する代わりに、同様の形状を含む切り欠き部を第二日文字表示面５２２ｆに形成することもできる。或いは、窓部を形成する代わりに、第二日文字表示面５２２ｆを透明な材料（例えば、アクリルなどの透明なプラスチック）で形成し、窓部と同様の形状を透明なまま維持し、数字を印刷することもできる。この構成では、数字は窓部を除く第二日文字表示面５２２ｆを白地に印刷し、数字は黒文字となるように印刷することができる。
【００４６】
ムーブメントにおいて、第二日車５２２の窓部の下には、第一日車５１２の第一日文字表示面５１２ｆの数字のうちの１つを配置することができるようになっている。第二日文字表示面５２２ｆには、単独で１桁の日付を表示するための「１」、「２」、「３」、「４」、「５」、「６」、「７」、「８」、「９」の数字と、日付のうちの十の位を表示するための「１」、「２」、「３」の数字が設けられている。図６に示す状態では、第二日文字５２２ｈのうちの単独で１桁の日付を表示するための「３」が文字板４０４に設けられた日窓４０４ｆに対応するように配置される。
【００４７】
第二日文字表示面５２２ｆは、第一日文字表示面５１２ｆよりも文字板４０４に近い位置に配置される。図７を参照すると、本発明のカレンダ機構付き時計のコンプリート５００では、文字板４０４の１２時位置に日窓４０４ｆが形成されている。コンプリート５００において、文字板４０４の日窓４０４ｆの中の左側の部分には、第二日車５２２の第二日文字５２２ｈのうちの「２」が配置され、日窓４０４ｆの中の右側の部分には、第一日車５１２の第一日文字５１２ｈのうちの「０」が配置される。したがって、コンプリート５００は「２０」を表示し、すなわち、「２０日」を表示している。
【００４８】
図８を参照すると、本発明のカレンダ機構付き時計のコンプリート５００では、文字板４０４の１２時位置に日窓４０４ｆが形成されている。コンプリート５００において、文字板４０４の日窓４０４ｆの部分には、第二日車５２２の第二日文字５２２ｈのうちの単独で１桁の日付を表示するための「１」が配置される。したがって、コンプリート５００は「１」を表示し、すなわち、「１日」を表示している。この状態において、文字板４０４の日窓４０４ｆの部分には、第一日車５１２の第一日文字表示面５１２ｆのうちで何も記載されていない部分が配置される。この構成では、「１」を表示する第二日文字が占有することができる面積は、同一サイズのムーブメントにおける従来のカレンダ機構と比べて（３１／１２）倍、すなわち約２．６倍にすることができる。
【００４９】
（う）６時位置に日窓を配置したとき
図９を参照すると、文字板４０４の６時位置に日窓４０４ｇが形成される構成の場合、第一日車５５２はリング形状の第一日文字表示面５５２ｆを備える。第一日車５５２は、内歯として形成された３１個の第一日車歯部５５６と、内歯として形成された１２個のカレンダ送り歯５５８とを含む。第一日車歯部５５６は、等しい角度の間隔、すなわち（３６０／３１）度の間隔で形成される。カレンダ送り歯５５８は、（３６０／３１）度の角度間隔で形成された１０個のカレンダ送り歯、即ち、第１カレンダ送り歯５５８ｂから第１０カレンダ送り歯５５８ｋと、第１０カレンダ送り歯５５８ｋを基準として、第１カレンダ送り歯５５８ｂが配置された方向と反対の第１の方向（すなわち、時計回り方向）に（３６０＊１０／３１）度の角度間隔で形成された第１１カレンダ送り歯５５８ｍと、第１１カレンダ送り歯５５８ｍを基準として、前記第１の方向（すなわち、時計回り方向）に（３６０＊１０／３１）度の角度間隔で形成された第１２カレンダ送り歯（５５８ａ）とを含む。
【００５０】
２２個の数字からなる第一日文字５５２ｈが第一日文字表示面５５２ｆに設けられる。すなわち、第一日文字５５２ｈは、「０」、「１」、「２」、「３」、「４」、「５」、「６」、「７」、「８」、「９」、「０」、「１」、「２」、「３」、「４」、「５」、「６」、「７」、「８」、「９」、「０」、「１」の２２個の数字を含む。第一日文字５５２ｈを構成する２２個の数字は、等しい角度の間隔、すなわち（３６０／３１）度の間隔で第一日文字表示面５５２ｆに配置される。最初の「１」の数字と、最後の「０」の数字の間には何も記載されていない部分が存在する。前記何も記載されていない部分は、（３６０＊９／３１）度の間隔で第一日文字表示面５５２ｆに配置される。図９に示す状態では、前記何も記載されていない部分と、数字の「１」が文字板４０４に設けられた日窓４０４ｇの下に配置される。切り欠き部５５２ｋが、第一日文字表示面５５２ｆの外周部において、数字の「６」と数字の「７」との間の位置に対応するように形成される。前記何も記載されていない部分には、製造年月、製造国、仕向け先などの管理記号などを記載することができる。
【００５１】
図１０を参照すると、第二日車５６２は、３個の窓部を設けた円盤形状の第二日文字表示面５６２ｆを備える。第二日車５６２は、さらに、外歯として形成された１２個の位置決め歯部５６６と、外歯として形成された１２個の送り歯５６８とを含む。位置決め歯部５６６は、等しい角度の間隔、例えば（３６０／１２）度の間隔で形成される。送り歯５６８は、等しい角度の間隔、例えば（３６０／１２）度の間隔で形成される。
【００５２】
第二日車５６２は、第二日文字表示面５６２ｆを有する。第二日文字表示面５６２ｆには、単独で１桁の日付を表示するための「１」、「２」、「３」、「４」、「５」、「６」、「７」、「８」、「９」の数字と、日付のうちの十の位を表示するための「１」、「２」、「３」の数字が等しい角度間隔で設けられる。十の位を表示するための「１」の数字と十の位を表示するための「２」の数字との間には窓部５６２ｋ１が形成される。十の位を表示するための「２」の数字と前記十の位を表示するための「３」の数字との間には窓部５６２ｋ２が形成される。十の位を表示するための「３」の数字と単独で１桁の日付表示するための「１」の数字との間には窓部５６２ｋ３が形成される。十の位を表示するための「１」の数字と、十の位を表示するための「２」の数字と、十の位を表示するための「３」の数字は、等しい角度間隔で形成される。窓部５６２ｋ１と、窓部５６２ｋ２は、例えば（３６０／１２）度の間隔で形成される。窓部５６２ｋ２と、窓部５６２ｋ３は、例えば（３６０／１２）度の間隔で形成される。
【００５３】
窓部を形成する代わりに、同様の形状を含む切り欠き部を第二日文字表示面５６２ｆに形成することもできる。或いは、窓部を形成する代わりに、第二日文字表示面５６２ｆを透明な材料（例えば、アクリルなどの透明なプラスチック）で形成し、窓部と同様の形状を透明なまま維持し、数字を印刷することもできる。この構成では、数字は窓部を除く第二日文字表示面５６２ｆを白地に印刷し、数字は黒文字となるように印刷することができる。
【００５４】
ムーブメントにおいて、第二日車５６２の窓部の下には、第一日車５５２の第一日文字表示面５５２ｆの数字のうちの１つを配置することができるようになっている。第二日文字表示面５６２ｆには、単独で１桁の日付を表示するための「１」、「２」、「３」、「４」、「５」、「６」、「７」、「８」、「９」の数字と、日付のうちの十の位を表示するための「１」、「２」、「３」の数字が設けられている。図１０に示す状態では、第二日文字５６２ｈのうちの単独で１桁の日付を表示するための「６」が文字板４０４に設けられた日窓４０４ｇに対応するように配置される。
【００５５】
図１１を参照すると、本発明のカレンダ機構付き時計のコンプリート５５０では、文字板４０４の６時位置に日窓４０４ｇが形成されている。コンプリート５５０において、文字板４０４の日窓４０４ｇの中の左側の部分には、第二日車５６２の第二日文字５６２ｈのうちの「２」が配置され、日窓４０４ｇの中の右側の部分には、第一日車５５２の第一日文字５５２ｈのうちの「０」が配置される。したがって、コンプリート５５０は「２０」を表示し、すなわち、「２０日」を表示している。
【００５６】
図１２を参照すると、本発明のカレンダ機構付き時計のコンプリート５５０では、文字板４０４の６時位置に日窓４０４ｇが形成されている。コンプリート５５０において、文字板４０４の日窓４０４ｇの部分には、第二日車５６２の第二日文字５６２ｈのうちの単独で１桁の日付を表示するための「１」が配置される。したがって、コンプリート５５０は「１」を表示し、すなわち、「１日」を表示している。この状態において、文字板４０４の日窓４０４ｇの部分には、第一日車５５２の第一日文字表示面５５２ｆのうちで何も記載されていない部分が配置される。この構成では、「１」を表示する第二日文字が占有することができる面積は、同一サイズのムーブメントにおける従来のカレンダ機構と比べて（３１／１２）倍、すなわち約２．６倍にすることができる。
【００５７】
（え）３時位置に日窓を配置したとき
図１３を参照すると、文字板４０４の３時位置に日窓４０４ｈが形成される構成の場合、第一日車５７２はリング形状の第一日文字表示面５７２ｆを備える。第一日車５７２は、内歯として形成された３１個の第一日車歯部５７６と、内歯として形成された１２個のカレンダ送り歯５７８とを含む。第一日車歯部５７６は、等しい角度の間隔、すなわち（３６０／３１）度の間隔で形成される。
【００５８】
カレンダ送り歯５７８は、（３６０／３１）度の角度間隔で形成された１０個のカレンダ送り歯、即ち、第１カレンダ送り歯５７８ｂから第１０カレンダ送り歯５７８ｋと、第１０カレンダ送り歯５７８ｋを基準として、第１カレンダ送り歯５７８ｂが配置された方向と反対の第１の方向（すなわち、時計回り方向）に（３６０＊１０／３１）度の角度間隔で形成された第１１カレンダ送り歯５７８ｍと、第１１カレンダ送り歯５７８ｍを基準として、前記第１の方向（すなわち、時計回り方向）に（３６０＊１０／３１）度の角度間隔で形成された第１２カレンダ送り歯（５７８ａ）とを含む。
【００５９】
２２個の数字からなる第一日文字５７２ｈが第一日文字表示面５７２ｆに設けられる。すなわち、第一日文字５７２ｈは、「０」、「１」、「２」、「３」、「４」、「５」、「６」、「７」、「８」、「９」、「０」、「１」、「２」、「３」、「４」、「５」、「６」、「７」、「８」、「９」、「０」、「１」の２２個の数字を含む。第一日文字５７２ｈを構成する２２個の数字は、等しい角度の間隔、すなわち（３６０／３１）度の間隔で第一日文字表示面５７２ｆに配置される。最初の「１」の数字と、最後の「０」の数字の間には何も記載されていない部分が存在する。前記何も記載されていない部分は、（３６０＊９／３１）度の間隔で第一日文字表示面５７２ｆに配置される。図１３に示す状態では、数字の「１」が文字板４０４に設けられた日窓４０４ｈの下に配置される。切り欠き部５７２ｋが、第一日文字表示面５１２ｆの外周部において、数字の「４」と、数字の「５」との間の位置に対応するように形成される。前記何も記載されていない部分には、製造年月、製造国、仕向け先などの管理記号などを記載することができる。
【００６０】
図１４を参照すると、第二日車５８２は、円盤形状の第二日文字表示面５８２ｆを備える。第二日文字表示面５８２ｆの外径は、第一日文字表示面５７２ｆの日文字を配置した領域の大きさよりも小さいように構成される。第二日車５８２は、外歯として形成された１２個の位置決め歯部５８６と、外歯として形成された１２個の送り歯５８８とを含む。位置決め歯部５８６は、等しい角度の間隔、例えば（３６０／１２）度の間隔で形成される。送り歯５８８は、等しい角度の間隔、例えば（３６０／１２）度の間隔で形成される。
【００６１】
第二日車５８２は、第二日文字表示面５８２ｆを有する。第二日文字表示面５８２ｆには、単独で１桁の日付を表示するための「１」、「２」、「３」、「４」、「５」、「６」、「７」、「８」、「９」の数字と、日付のうちの十の位を表示するための「１」、「２」、「３」の数字が等しい角度間隔で設けられる。十の位を表示するための「１」の数字の外側には切り欠き部５８２ｋ１が形成される。十の位を表示するための「２」の数字の外側には切り欠き部５８２ｋ２が形成される。十の位を表示するための「３」の数字の外側には切り欠き部５８２ｋ３が形成される。十の位を表示するための「１」の数字と、十の位を表示するための「２」の数字と、十の位を表示するための「３」の数字は、等しい角度間隔で形成される。窓部５８２ｋ１と、窓部５８２ｋ２は、例えば（３６０／１２）度の間隔で形成される。窓部５８２ｋ２と、窓部５８２ｋ３は、例えば（３６０／１２）度の間隔で形成される。
【００６２】
十の位を表示するための「１」の数字と、十の位を表示するための「２」の数字と、十の位を表示するための「３」の数字は、等しい角度間隔、例えば（３６０／１２）度の間隔で形成される。切り欠き部を形成する代わりに、同様の形状を含む窓部を第二日文字表示面５８２ｆに形成することもできる。或いは、切り欠き部を形成する代わりに、第二日文字表示面５８２ｆを透明な材料（例えば、アクリルなどの透明なプラスチック）で形成し、切り欠き部と同様の形状を透明なまま維持し、数字を印刷することもできる。この構成では、数字は切り欠き部を除く第二日文字表示面５８２ｆを白地に印刷し、数字は黒文字となるように印刷することができる。
【００６３】
ムーブメントにおいて、第二日車５８２の切り欠き部の下には、第一日車５７２の第一日文字表示面５７２ｆの数字のうちの１つを配置することができるようになっている。第二日文字表示面５８２ｆには、単独で１桁の日付を表示するための「１」、「２」、「３」、「４」、「５」、「６」、「７」、「８」、「９」の数字と、日付のうちの十の位を表示するための「１」、「２」、「３」の数字が設けられている。図１４に示す状態では、第二日文字５８２ｈのうちの単独で１桁の日付を表示するための「８」が文字板４０４に設けられた日窓４０４ｈに対応するように配置される。
【００６４】
図１５を参照すると、本発明のカレンダ機構付き時計のコンプリート５７０では、文字板４０４の３時位置に日窓４０４ｈが形成されている。コンプリート５７０において、文字板４０４の日窓４０４ｈの中の左側の部分には、第二日車５８２の第二日文字５８２ｈのうちの「１」が配置され、日窓４０４ｈの中の右側の部分には、第一日車５７２の第一日文字５７２ｈのうちの「５」が配置される。したがって、コンプリート５７０は「１５」を表示し、すなわち、「１５日」を表示している。
【００６５】
図１６を参照すると、本発明のカレンダ機構付き時計のコンプリート５００では、文字板４０４の３時位置に日窓４０４ｈが形成されている。コンプリート５００において、文字板４０４の日窓４０４ｈの部分には、第二日車５８２の第二日文字５８２ｈのうちの単独で１桁の日付を表示するための「１」が配置される。したがって、コンプリート５７０は「１」を表示し、すなわち、「１日」を表示している。この状態において、文字板４０４の日窓４０４ｈの部分には、第一日車５７２の第一日文字表示面５７２ｆのうちで何も記載されていない部分が配置される。この構成では、「１」を表示する第二日文字が占有することができる面積は、同一サイズのムーブメントにおける従来のカレンダ機構と比べて（３１／２４）倍、すなわち約１．３倍にすることができる。
【００６６】
（１・６・２）第一日車を正方向に回転させようとしている状態
図１７は、本発明のカレンダ機構付き時計において、第一日車５１２を回転させる前の状態（すなわち、日送り前の状態）における、文字板側から見たムーブメント４００の裏側の構造を示す部分平面図である。図１７を参照すると、第二日ジャンパ５２４の規正部５２４ｃ、５２４ｄが、第二日車５２２の位置決め歯部５２６を規正している。日回し車５１０は１個の日回し爪５１０ｄを含む。日回し車５１０は矢印で示す方向（反時計回り方向）に回転することができる。日中間車５３０は外歯として形成された９個の日中間歯５３０ａを含む。第二日車５２２により日窓４０４ｆから表示されている日文字は「３」であり、第二日車５２２の窓部を通して見ることができる第一日車５１２の日文字は「１」である。すなわち、第二日車５２２と第一日車５１２により日窓４０４ｆから現在の日付、「３１」日を表示している。
【００６７】
（１・６・３）第一日車を正方向に回転させようとしている状態
図１８は、本発明のカレンダ機構付き時計において、第一日車５１２を正方向（反時計回り方向）に回転させようとしている状態（すなわち、日送りを開始した状態）における、文字板側から見たムーブメント４００の裏側の構造を示す部分平面図である。図１８を参照すると、第二日ジャンパ５２４の規正部５２４ｃ、５２４ｄが、第二日車５２２の位置決め歯部５２６を規正している。日回し車５１０が矢印で示す方向（反時計回り方向）に回転することにより、日回し爪５１０ｄは第一日車歯部５１６を送り始め、第一日車５１２を反時計回り方向に回転させる。第一日車５１２が反時計回り方向に回転し、第２カレンダ送り歯５１８ｃは日中間歯５３０ａを回転させる。
【００６８】
（１・６・４）第一日車を正方向に回転させている状態
図１９は、本発明のカレンダ機構付き時計において、第一日車５１２を正方向（反時計回り方向）に回転させている途中の状態で、第一日車５１２が正方向に回転して、第一日車５１２の歯部５１６の先端部と、第一日ジャンパ５１４の規正部５１４ｃと５１４ｄが交差する先端部とが接触している状態における、文字板側から見たムーブメント４００の裏側の構造を示す部分平面図である。図１９を参照すると、日回し車５１０は矢印で示す方向に回転することにより、日回し爪５１０ｄは第一日車歯部５１６を送り続け、日中間歯５３０ｅが第二日車５２２の送り歯５２８を回転させて、第二日車５２２を時計回り方向に回転させる。すると、第二日車５２２により日窓４０４ｆから表示される日文字は、「３１」を表示した状態から回転して、第二日車５２２が単独で表示する「１」が日窓４０４ｆに配置される状態になろうとする。
【００６９】
この第一日車５１２の送り状態の途中で、第一日車５１２の歯部５１６の先端部と、第一日ジャンパ５１４の規正部５１４ｃと５１４ｄが交差する先端部とが接触する状態になる。また、第一日車５１２が矢印で示す方向に回転することにより、第２カレンダ送り歯５１８ｃは日中間歯５３０ａを回転させ、日中間歯５３０ｅが送り歯５２８を回転させて、第二日車５２２を時計回り方向に矢印で示す方向に回転させる。この第二日車５２２の送り状態の途中で、第二日車５２２の位置決め歯部５２６の先端部と、第二日ジャンパ５２４の規正部５２４ｃと５２４ｄが交差する先端部とが接触する状態になる。
【００７０】
（１・６・５）第一日車が正方向に１ピッチ回転した状態
図２０は、本発明のカレンダ機構付き時計において、第一日車５１２が正方向（反時計回り方向）に１ピッチ（第一日車の１歯分、すなわち、（３６０／３１）度だけ）回転した状態における、文字板側から見たムーブメント４００の裏側の構造を示す部分平面図である。図２０を参照すると、図１９に示す状態からさらに日回し車５１０が矢印で示す方向に回転して、日回し爪５１０ｄが第一日車５１２を矢印で示す方向に回転させると、第一日ジャンパ５１４の弾性力により、第一日車５１２は、図１８に示す状態から反時計回り方向に（３６０／３１）度回転した位置に位置決めされる。また、第二日ジャンパ５２４の弾性力により、第二日車５２２は、図１８に示す状態から時計回り方向に３０度回転した位置に位置決めされる。その結果、第二日車５２２の表示は、「３１」を表示した状態から回転して、第二日車５２２が単独で表示する「１」が日窓４０４ｆに配置される状態になる。すなわち、図２０に示す状態では、カレンダ機構付き時計の文字板の日窓４０４ｆには、「１日」が表示される。
【００７１】
（１・６・６）カレンダ修正機構の構成
図１、図１７、図２２を参照すると、ムーブメント４００において、カレンダ修正機構は、第一カレンダ修正車５９０と、第二カレンダ修正車５９１と、日修正レバー５９３とを含む。第二カレンダ修正車５９１は、地板４０２に設けられた第二カレンダ修正車ピンを回転中心として回転できるように構成される。日修正レバーピン５９３ｂが、第二カレンダ修正車５９１に固定される。日修正レバーピン５９３ｂの回転中心軸線は、第二カレンダ修正車５９１の回転中心軸線から偏心した位置に配置される。日修正レバー５９３は、前記日修正レバーピン５９３ｂの軸部に対して回転できるように構成される。
【００７２】
日修正レバー５９３は、第二カレンダ修正車５９１が回転することにより偏心運動して、日修正レバー５９３の修正用先端部が第一日車歯部５１６に接触することができるように構成される。日修正レバー５９３の修正用先端部の移動により、第一日車５５２を１ピッチずつ回転させることができるように構成される。巻真４１０が１段目にある状態において、第一カレンダ修正車５９０の連動穴が巻真４１０の第２角部４１０ｆと嵌め合い、巻真４１０の回転に基づいて第一カレンダ修正車５９０が回転するように構成される。
【００７３】
この状態で、巻真４１０を第１の方向に、例えば、左回転させる方向に回転させると、第一カレンダ修正車５９０の回転に基づいて、第二カレンダ修正車５９１が回転するように構成される。第二カレンダ修正車５９１の回転に基づいて日修正レバー５９３が移動して、日修正レバー５９３の修正用先端部が第一日車５１２を反時計回り方向に１ピッチずつ回転させることができるように構成される。巻真４１０を１段目に引き出した状態で、巻真４１０を第１の方向（左回転させる方向）に回転させると、日修正レバー５９３の修正用先端部が第一日車５１２を反時計回り方向に１ピッチずつ回転させ、第一日車５１２が反時計回り方向に回転することにより、第２カレンダ送り歯５１８ｂは日中間歯５３０ａを回転させ、日中間歯５３０ｅが送り歯５２８を回転させて、第二日車５２２を時計回り方向に回転させることができるように構成される。
【００７４】
本発明の日修正機構において、巻真４１０が１段目にあるときに、巻真４１０を第１の方向（左回転させる方向）に回転させることにより「日修正」を行うことができ、前記第１の方向と反対の方向（右回転させる方向）に巻真４１０を回転させても「日修正」を行うことはできないようになっている。
【００７５】
（１・７）本発明のカレンダ機構付き時計の作動
（１・７・１）通常運針の作動
次に、本発明のカレンダ機構付き時計の通常運針の作動について説明する。図１〜図３、図２１を参照すると、電池４４０が時計の動力源を構成する。水晶ユニット６５０に収容された水晶振動子が、例えば、３２，７６８ヘルツで発振する。この水晶振動子の振動に基づいて、集積回路６５４に内蔵されている発振部６０２が基準信号を出力し、分周制御部６０４が発振部６０２の出力信号を分周する。モータ駆動部６０６が分周制御部６０４の出力信号に基づいて、ステップモータを駆動するモータ駆動信号をコイルブロック６３０に出力する。コイルブロック６３０がモータ駆動信号を入力すると、ステータ６３２が磁化して、ロータ６３４を回転させる。ロータ６３４は、例えば、１秒ごとに１８０度回転する。ロータ６３４の回転に基づいて、五番車４４１の回転を介して四番車４４２が回転する。四番車４４２は１分間に１回転する。四番車４４２に取付けられた秒針４６０により、時刻情報のうちの「秒」を表示する。
【００７６】
三番車４４４が四番車４４２の回転に基づいて回転する。二番車４４６が三番車４４４の回転に基づいて回転する。二番車４４６の代わりに分車を用いてもよい。二番車４４６は１時間に１回転する。二番車４４６に取付けられた分針４６２により、時刻情報のうちの「分」を表示する。スリップ機構が二番車４４６に設けられる。スリップ機構により、針合わせをするときに、規正レバー４６８により五番車４４２の歯車部を規正して秒針４６０を停止させた状態で、巻真４１０を回転させることにより、分針４６２及び時針４６４を回転させることができる。日の裏車４４８が二番車４４６の回転に基づいて回転する。筒車４８０が日の裏車４４８の回転に基づいて回転する。筒車４８０は１２時間に１回転する。筒車４８０に取付けられた時針４６４により、時刻情報のうちの「時」を表示する。
【００７７】
（１・７・２）カレンダ送りの作動
次に、本発明のカレンダ機構付き時計のカレンダ送りの作用について説明する。図１〜図４、図１７、図２１を参照すると、日回し車５１０は、筒車４８０の回転に基づいて回転する。日回し車５１０が回転することにより、日回し車５１０の日回し爪５１０ｄは第一日車５１２を回転させる。図１７を参照すると、日回し車５１０が矢印で示す方向（反時計回り方向）に回転することにより、日回し爪５１０ｄは第一日車歯部５１６を送り、１日に１度、第一日車５１２を時計回り方向に回転させる。
【００７８】
第一日車５１２と第二日車５２２による日付の表示が「９日」から「１０日」になるとき、第二日車５２２だけにより日窓４０４ｆから表示される日文字「９」が、第二日車５２２により日窓４０４ｆから表示される日文字「１」と、第一日車５１２により日窓４０４ｆから表示される日文字「０」に変わる。第一日車５１２が反時計回り方向に回転することにより、第１１カレンダ送り歯５１８ｋは、日中間車５３０の歯部５３０ａを押すことにより日中間車５３０を回転させ、さらに日中間歯５３０ｅが送り歯５２８を回転させて第二日車５２２を時計回り方向に回転させ、第二日車５２２により日窓４０４ｆから表示される日文字は、単独で「９」を表示した状態から回転して、十の位の「１」を表示する状態に変わる。
【００７９】
第一日車５１２と第二日車５２２による日付の表示が「１９日」から「２０日」になるとき、第一日車５１２により日窓４０４ｆから表示される日文字は「９」から「０」に変わる。第一日車５１２が反時計回り方向に回転することにより、第１２カレンダ送り歯５１８ｍは、日中間車５３０の歯部５３０ａを押すことにより日中間車５３０を回転させ、さらに日中間歯５３０ｅが送り歯５２８を回転させて、第二日車５２２を時計回り方向に回転させ、第二日車５２２により日窓４０４ｆから表示される日文字は、「１」を表示した状態から回転して、「２」に変わる。
【００８０】
日付の表示が「２９日」から「３０日」になるとき、第一日車５１２が反時計回り方向に回転することにより、第１カレンダ送り歯５１８ａは、日中間車５３０の歯部５３０ａを押すことにより日中間車５３０を回転させ、さらに日中間歯５３０ｅが送り歯５２８を回転させて、第二日車５２２を時計回り方向に回転させる。その結果、第二日車５２２により日窓４０４ｆから表示される日文字は、「２」を表示した状態から回転して、「３」に変わり、第一日車５１２により日窓４０４ｆから表示される日文字は、「９」を表示した状態から回転して、「０」に変わる。
【００８１】
日付の表示が「３０日」から「３１日」になるとき、第一日車５１２が反時計回り方向に回転するが、カレンダ送り歯が日中間車５３０の歯部５３０ａを押すことはない。したがって、第二日車５２２が回転することはない。その結果、第一日車５１２により日窓４０４ｆから表示される日文字は、「０」を表示した状態から回転して、「１」に変わるが、第二日車５２２により日窓４０４ｆから表示される日文字は、「３」を表示した状態のままである。
【００８２】
第一日車５１２と第二日車５２２による日付の表示が「３１日」から「１日」になるとき、第一日車５１２が反時計回り方向に回転することにより、第２カレンダ送り歯５１８ｂは、日中間車５３０の歯部５３０ａを押すことにより日中間車５３０を回転させ、さらに日中間歯５３０ｅが送り歯５２８を回転させて、第二日車５２２を時計回り方向に回転させ、第二日車５２２により日窓４０４ｆから表示される日文字は、十の位の「３」を表示した状態から回転して、単独で「１」を表示する状態に変わる。
【００８３】
同様に、「１日」から「２日」になるとき、「２日」から「３日」になるとき、「３日」から「４日」になるとき、「４日」から「５日」になるとき、「５日」から「６日」になるとき、「６日」から「７日」になるとき、「７日」から「８日」になるとき、「８日」から「９日」になるとき、「９日」から「１０日」になるときは、第一日車５１２が回転することにより、第二日車５２２は回転するように構成されている。すなわち、このときには、日回し車５１０が回転することにより、日回し車５１０の日回し爪５１０ｄは第一日車５１２を１日に１ピッチづつ回転させるように構成されている。
【００８４】
これに対して、「１日」から「２日」になるとき、「２日」から「３日」になるとき、「３日」から「４日」になるとき、「４日」から「５日」になるとき、「５日」から「６日」になるとき、「６日」から「７日」になるとき、「７日」から「８日」になるとき、「８日」から「９日」になるとき、「９日」から「１０日」になるとき、「１９日」から「２０日」になるとき、「２９日」から「３０日」になるとき、「３１日」から「１日」になるとき以外では、第一日車５１２が回転しても、第二日車５２２は回転しないように構成されている。
【００８５】
図２０を参照すると、図１９に示す状態からさらに日回し車５１０が矢印で示す方向に回転して、日回し爪５１０ｄが第一日車５１２を矢印で示す方向に回転させると、第一日ジャンパ５１４の弾性力により、第一日車５１２は、図１８に示す状態から反時計回り方向に（３６０／３１）度回転した位置に位置決めされる。また、第二日ジャンパ５２４の弾性力により、第二日車５２２は、図１８に示す状態から時計回り方向に３０度回転した位置に位置決めされる。その結果、第二日車５２２の表示が十の位の「３」を表示した状態から回転して、単独で「１」を表示する状態に変わる。すなわち、図２０に示す状態では、カレンダ機構付き時計の文字板の日窓４０４ｆには、第二日車５２２が単独で「１」を表示する状態であり、「１」日が表示されている。
【００８６】
（１・７・３）針合わせの作動
次に、本発明のカレンダ機構付き時計において、針合わせを行う場合の作動について説明する。図１〜図３、図２２を参照すると、ムーブメント４００において、巻真４１０が２段目にあるとき、つづみ車４７２の連動角穴が巻真４１０の第１角部４１０ｂと嵌め合い、巻真４１０の回転に基づいて、つづみ車４７２は回転することができる。すなわち、巻真４１０を２段目に引き出した状態で、巻真４１０を回転させると、つづみ車４７２の回転に基づいて小鉄車４４９が回転する。小鉄車４４９の回転に基づいて、日の裏車４４８が回転する。
【００８７】
従って、巻真４１０が２段目にあるときに、巻真４１０を回転させることにより、「針合わせ」をすることができる。すなわち、巻真４１０が２段目にあるときに、巻真４１０を回転させることにより、筒車４８０を回転させて、筒車４８０に取付けられた時針４６４が表示する「時」の表示内容を修正し、同時に、二番車４４６を回転させることにより、二番車４４６に取付けられた分針４６２が表示する「分」の表示内容を修正することができる。巻真４１０が２段目にあるときに、規正レバー４６８が五番車４４１を規正する作用により、「時」及び「分」の表示内容を修正している間、五番車４４１および四番車４４２は回転することがなく、「秒」の表示内容は変化しない。
【００８８】
（１・７・４）日修正の作動
次に、本発明のカレンダ機構付き時計において、日修正を行う場合の作動について説明する。図１、図２２を参照すると、ムーブメント４００において、巻真４１０が１段目にあるとき、第一カレンダ修正車５９０の連動丸穴が巻真４１０の第２角部４１０ｆと嵌め合い、巻真４１０の回転に基づいて第一カレンダ修正車５９０は回転することができる。すなわち、巻真４１０を１段目に配置した状態で、巻真４１０を第１の方向（左回転させる方向）に回転させると、第一カレンダ修正車５９０の回転に基づいて、第二カレンダ修正車５９１が回転する。
【００８９】
日修正レバー５９３は、第二カレンダ修正車５９１が回転することにより偏心運動して、日修正レバー５９３の修正用先端部が第一日車歯部５１６に接触することができるように構成される。巻真４１０を第１の方向（左回転させる方向）に回転させるとき、日修正レバー５９３の修正用先端部の移動により、第一日車５１２を１ピッチずつ回転させることができるように構成される。巻真４１０が１段目にある状態において、第一カレンダ修正車５９０の連動穴が巻真４１０の第２角部４１０ｆと嵌め合い、巻真４１０の回転に基づいて第一カレンダ修正車５９０が回転するように構成される。
【００９０】
この状態で、巻真４１０を第１の方向（左回転させる方向）に回転させると、第一カレンダ修正車５９０の回転に基づいて、第二カレンダ修正車５９１が回転する。第二カレンダ修正車５９１の回転に基づいて日修正レバー５９３が移動して、日修正レバー５９３の修正用先端部が第一日車５１２を反時計回り方向に１ピッチずつ回転させることができる。すなわち、巻真４１０を１段目に引き出した状態で、巻真４１０を第１の方向（左回転させる方向）に回転させると、第二カレンダ修正車５９１が回転し、日修正レバー５９３の修正用先端部が第一日車５１２を反時計回り方向に回転させることにより、第２カレンダ送り歯５１８ｂは日中間歯５３０ａを回転させ、日中間歯５３０ｅが送り歯５２８を回転させて、第二日車５２２を時計回り方向に回転させることができる。
【００９１】
日付の表示が「２９」を表示した状態から回転して「３０」に変わるとき、巻真４１０を１段目に引き出した状態で、巻真４１０を第１の方向（左回転させる方向）に回転させると、第二カレンダ修正車５９１が回転し、日修正レバー５９３の修正用先端部が第一日車５１２を反時計回り方向に１ピッチずつ回転させ、第一日車５１２が反時計回り方向に回転することにより、第１カレンダ送り歯５１８ａは、日中間車５３０の歯部５３０ａを押すことにより日中間車５３０を回転させ、日中間歯５３０ｅが送り歯５２８を回転させて、第二日車５２２を時計回り方向に回転させる。
【００９２】
日付の表示が「９」を表示した状態から回転して「１０」に変わるとき、巻真４１０を１段目に引き出した状態で、巻真４１０を第１の方向（左回転させる方向）に回転させると、第二カレンダ修正車５９１が回転し、日修正レバー５９３の修正用先端部が第一日車５１２を反時計回り方向に１ピッチずつ回転させ、第一日車５１２が時計回り方向に回転することにより、第１１カレンダ送り歯５１８ｋは、日中間車５３０の歯部５３０ａを押すことにより日中間車５３０を回転させ、日中間歯５３０ｅが送り歯５２８を回転させて、第二日車５２２を時計回り方向に回転させる。
【００９３】
日付の表示が「１９」を表示した状態から回転して「２０」に変わるとき、巻真４１０を１段目に引き出した状態で、巻真４１０を第１の方向（左回転させる方向）に回転させると、第二カレンダ修正車５９１が回転し、日修正レバー５９３の修正用先端部が第一日車５１２を反時計回り方向に１ピッチずつ回転させ、第一日車５１２が反時計回り方向に回転することにより、第１２カレンダ送り歯５１８ｍは、日中間車５３０の歯部５３０ａを押すことにより日中間車５３０を回転させ、日中間歯５３０ｅが送り歯５２８を回転させて、第二日車５２２を時計回り方向に回転させる。
【００９４】
第二日車５２２により日窓４０４ｆから表示される日文字が「３１」を表示した状態から回転して「１」に変わるとき、巻真４１０を１段目に引き出した状態で、巻真４１０を第１の方向（左回転させる方向）に回転させると、第二カレンダ修正車５９１が回転し、日修正レバー５９３の修正用先端部が第一日車５１２を反時計回り方向に１ピッチずつ回転させ、第一日車５１２が時計回り方向に回転することにより、第１カレンダ送り歯５１８ａは日中間歯５３０ａを回転させ、日中間歯５３０ｅが送り歯５２８を回転させて、第二日車５２２を時計回り方向に回転させる。
【００９５】
第二日車５２２により日窓４０４ｆから表示される日文字が「１」を表示した状態から回転して「２」に変わるとき、巻真４１０を１段目に引き出した状態で、巻真４１０を第１の方向（左回転させる方向）に回転させると、第二カレンダ修正車５９１が回転し、カレンダ修正車５９２が回転し、日修正レバー５９３の修正用先端部が第一日車５１２を反時計回り方向に１ピッチずつ回転させ、第一日車５１２が時計回り方向に回転することにより、第２カレンダ送り歯５１８ｂは日中間歯５３０ａを回転させ、日中間歯５３０ｅが送り歯５２８を回転させて、第二日車５２２を時計回り方向に回転させる。
【００９６】
従って、巻真４１０が１段目にあるときに、巻真４１０を第１の方向（左回転させる方向）に回転させることにより、「日修正」を行うことができる。巻真４１０が１段目にあるときに、前記第１の方向と反対の方向（右回転させる方向）に巻真４１０を回転させても、「日修正」を行うことはできない。
【００９７】
（２）本発明のカレンダ機構の他の実施形態
（２・１）機械式時計の実施形態
上述した本発明の実施形態は、カレンダ機構付き時計をアナログ電子時計で構成したときの実施形態であるが、本発明は、アナログ電子時計だけでなく、機械式時計にも適用することができる。すなわち、本明細書における「カレンダ機構付き時計」という概念は、「機械式時計」も含み、「アナログ電子時計」も含み、かつ、他のすべての作動原理のアナログ時計も含む概念である。
【００９８】
機械式時計の実施形態において、ぜんまいの動力により回転する香箱歯車の回転は、調速装置及び脱進装置によって制御される。香箱歯車の回転により、二番車、三番車の回転を介して四番車が１分間に１回転する。また、香箱車の回転により、分車が１時間に１回転する。分車の回転により、日の裏車の回転を介して筒車は１２時間に１回転する。筒車の回転により、日回し車が回転し、日回し車の回転により回転する日送り爪の回転により、第一日車が回転することができる。機械式時計の実施形態において、カレンダ機構の構造と作動は、上述したカレンダ機構付き時計をアナログ電子時計で構成したときの実施形態の構造と作動と同様である。
【００９９】
（２・２）第二日車の他の実施形態
上述した本発明の実施形態において、第二日車が第二日文字表示面を有し、第二日文字表示面には、単独で１桁の日付を表示するための「１」、「２」、「３」、「４」、「５」、「６」、「７」、「８」、「９」の数字と、日付のうちの十の位を表示するための「１」、「２」、「３」の数字が等しい角度間隔で設けられ、十の位を表示するための「１」の数字と十の位を表示するための「２」の数字との間には窓部が形成され、十の位を表示するための「２」の数字と前記十の位を表示するための「３」の数字との間には窓部が形成され、十の位を表示するための「１」の数字と単独で１桁の日付表示するための「９」の数字との間には窓部が形成される構造を説明した。
【０１００】
さらに、本発明の他の実施形態において、第二日車の第二日文字表示面には、単独で１桁の日付を表示するための「１」、「２」、「３」、「４」、「５」、「６」、「７」、「８」、「９」の数字と、単独で「３０」の日付を表示するための「３０」の数字と、単独で「３１」の日付を表示するための「３１」の数字と、日付のうちの十の位を表示するための「１」の数字と、日付のうちの十の位を表示するための「２」の数字とが設けられ、十の位を表示するための「１」の数字と十の位を表示するための「２」の数字との間には窓部が形成され、十の位を表示するための「２」の数字と単独で「３０」の日付を表示するための「３０」の数字との間には窓部が形成される構造を実現することができる。
【０１０１】
この他の実施形態の構造では、第二日車５２２は、外歯として形成された１３個の位置決め歯部と、外歯として形成された１３個の送り歯とを含むように構成することができる。前記位置決め歯部は、等しい角度の間隔、例えば（３６０／１３）度の間隔で構成することができる。前記送り歯は、等しい角度の間隔、例えば（３６０／１３）度の間隔で構成することができる。この他の実施形態において、カレンダ機構の他の部分の構造と作動は、上述したカレンダ機構付き時計をアナログ電子時計で構成したときの実施形態と同様である。
【産業上の利用可能性】
【０１０２】
本発明においては、第一日車が日付のうちの一の位を表示することができ、第二日車が日付のうちの十の位を表示することができ、かつ、単独で１桁の日付を表示することができるように構成している。本発明により、ムーブメントの構成を簡単なものとすることができ、かつ、日付の表示が大きくて見やすいカレンダ機構付き時計を製造することができる。
【符号の説明】
【０１０３】
４００  ムーブメント
４０２  地板
４０４  文字板
４１０  巻真
４４２  四番車
４４４  三番車
４４６  二番車
４８０  筒車
５１０  日回し車
５１２  第一日車
５１４  第一日ジャンパ
５２２  第二日車
５２４  第二日ジャンパ
５３０  日中間車
【図１】
0005382720.tif 000002
【図２】
0005382720.tif 000003
【図３】
0005382720.tif 000004
【図４】
0005382720.tif 000005
【図５】
0005382720.tif 000006
【図６】
0005382720.tif 000007
【図７】
0005382720.tif 000008
【図８】
0005382720.tif 000009
【図９】
0005382720.tif 000010
【図１０】
0005382720.tif 000011
【図１１】
0005382720.tif 000012
【図１２】
0005382720.tif 000013
【図１３】
0005382720.tif 000014
【図１４】
0005382720.tif 000015
【図１５】
0005382720.tif 000016
【図１６】
0005382720.tif 000017
【図１７】
0005382720.tif 000018
【図１８】
0005382720.tif 000019
【図１９】
0005382720.tif 000020
【図２０】
0005382720.tif 000021
【図２１】
0005382720.tif 000022
【図２２】
0005382720.tif 000023